(57)【要約】【課題】容易に配管の交換を行うことの可能な無勾配排水システム、及び、この無勾配システムにおける配管メンテナンス方法を提供する。【解決手段】サイフォン排水システム１０には、スペア配管６２が備えられている。スペア配管６２は、横引き管２４に沿って配置される横引きスペア配管６４、及び、竪管２６に沿って配置される竪スペア配管６６を含んで構成されている。スペア配管６２は、上流端が閉鎖蓋６５で閉鎖され、下流端が合流部継手４０に接続されている。【選択図】図１
2008280731.tif 000002
【特許請求の範囲】
【請求項１】
無勾配で配設された無勾配部を有し、前記無勾配部内の排水に下流側へ向かう力を作用させて排水を促進する無勾配排水管と、
少なくとも前記無勾配部に対応する管部分を有し、排水経路と非接続で前記無勾配排水管に沿って配置されたスペア排水管と、
を備えた無勾配排水システム。
【請求項２】
前記スペア排水管は、端部開口が閉鎖蓋で閉鎖されていること、を特徴とする請求項１に記載の無勾配排水システム。
【請求項３】
前記無勾配排水管がサイフォン排水管であり、サイフォン力を作用させて前記無勾配部の排水を促進すること、を特徴とする請求項１または請求項２に記載の無勾配排水システム。
【請求項４】
複数の水回り器具からの排水を一時貯留する貯留槽を備え、前記サイフォン排水管及びスペア排水管は、前記貯留槽の下流側に配置されていること、を特徴とする請求項３に記載の無勾配排水システム。
【請求項５】
前記貯留槽内部で前記排水を貯留する貯留空間が仕切部材によって複数の個別貯留部に区画され、前記複数の個別貯留部毎に対応する前記水回り器具からの排水管及び前記サイフォン排水管が接続されていること、を特徴とする請求項４に記載の無勾配排水システム。
【請求項６】
請求項１〜請求項５のいずれか１項に記載の無勾配排水システムで用いられる配管メンテナンス方法であって、
前記スペア管を前記無勾配排水管に代えて前記排水路と接続させること、を特徴とする配管メンテナンス方法。
【請求項７】
複数の異なる水回り器具に対応する前記無勾配排水管を、前記スペア排水管を含んで相互交換すること、を特徴とする配管メンテナンス方法。
【請求項８】
前記交換により前記排水路と非接続となった無勾配排水管の開口を、閉塞蓋で閉塞すること、を特徴とする請求項６または請求項７に記載の配管メンテナンス方法。
【発明の詳細な説明】
【技術分野】
【０００１】
本発明は、床スラブに沿って無勾配で配設された無勾配部を有する、サイフォン排水、強制排水（圧送）、真空（バキューム）排水などの、無勾配排水システム、及び、この無勾配排水に用いられる配管排水システムに関する。
【背景技術】
【０００２】
近年、従来の勾配排水システムに代わって、サイフォン排水、強制排水（圧送）、真空（バキューム）排水などの、無勾配排水システムが提案されている。この無勾配排水システムは、床スラブに沿って無勾配で配設された無勾配部を有しており、この無勾配部中の排水に下流側へ向かう力を作用させて排水を促進する排水システムである。この中の例えば、サイフォン排水システムは、特許文献１に記載されるように、水廻り器具とサイフォン排水管とで構成されており、サイフォン排水管の垂下部をなす竪管にて発生するサイフォン力（負圧力）を利用して、水廻り器具からの排水効率を向上させるシステムである。
【０００３】
このような無勾配排水システムでは、従来の勾配排水システムと比較して、床スラブ上の横引き管について勾配を必要としないため、横引き管を長くすることができる。一方、従来の勾配排水システムでは勾配が必要であり、所定の床下寸法内に収めようとすると、横枝管は長くても水回り器具から２〜３ｍ程度となり、横引き管を長くしようとすると、床下寸法を大きくしなければならなかった。
【０００４】
このように、無勾配排水システムでは横引き管を長くすることができるため、排水立て管を水回り器具の近傍に設置する必要がなくなり、設計の自由度を高くすることができるというメリットや、集合住宅の場合には、排水立て管を共用部に設置することによりメンテナンスや更新を容易にすることができるというメリットを有している。
【０００５】
ところで、排水管内の閉塞、排水管の劣化、損傷などにより、排水管自体を取り替える必要が生じることがある。この場合には、排水管の交換に際しては、無勾配排水システムに適した方法や構成が求められることになる。
【０００６】
例えば、図５に示すように、従来の勾配排水システムでの横枝管Ｐ０は、複数の排水立て管Ｈ０に分散されて接続されるため、排水管の交換に際して、領域Ｅ０の床を取り払うことにより横引き管Ｐ０を交換できる。しかしながら、無勾配排水システムでの横引き管がＰ１は、通常、解放廊下に面したＭＢまで配管するので、図６に示すように、領域Ｅ１の床を取り払わなければ、横引き管Ｐ１を交換することができない。
【特許文献１】特開平６−４２０１９号公報
【発明の開示】
【発明が解決しようとする課題】
【０００７】
本発明は、上記事実に鑑みてなされたものであり、容易に配管の交換を行うことの可能な無勾配排水システム、及び、この無勾配システムにおける配管メンテナンス方法を提供することを目的とする。
【課題を解決するための手段】
【０００８】
本発明の請求項１に記載の無勾配排水システムは、無勾配で配設された無勾配部を有し、前記無勾配部内の排水に下流側へ向かう力を作用させて排水を促進する無勾配排水管と、少なくとも前記無勾配部に対応する管部分を備え、排水経路と非接続で前記無勾配排水管に沿って配置されたスペア排水管と、を備えている。
【０００９】
本発明の無勾配排水システムには、スペア排水管が備えられている。スペア配管は、少なくとも無勾配部に対応する部分を備えているが、無勾配部に対応する部分だけのものでも、無勾配部に対応する部分と鉛直方向に配設される部分の両方を備えたものであってもよい。
【００１０】
なお、ここでの無勾配とは、必ずしも水平方向である必要はなく、床スラブや天井に沿って多少の段差、勾配のあるものを含む。
【００１１】
また、スペア配管は、排水経路と非接続とされている。排水経路と非接続とは、排水が流れ込まないようにされていることをいい、両端部が排水経路と連結されていない場合や、下流端は排水経路と連結されているが上流端が排水経路と連結さていない場合、などをいう。
【００１２】
使用中の無勾配配管に不都合が生じて交換の必要が生じた場合には、当該無勾配配管に代えてスペア配管を排水経路に接続すればよい。したがって、作業用の開口スペースとしては、接続の交換作業を行うために必要な部分のみで足り、容易に配管の交換を行うことができる。なお、この作業用の開口として、床に点検口を設置しておけば、床を剥がすなどの作業が必要なくなり、より容易に交換を行うことができる。
【００１３】
本発明の請求項２に記載の無勾配排水システムは、前記スペア排水管は、端部開口が閉鎖蓋で閉鎖されていること、を特徴とする。
【００１４】
このように、スペア配管の端部開口を閉鎖蓋で閉鎖しておくことにより、スペア管内に異物が入り込まず、良好な状態に保つことができる。また、蓋によってスペア配管の両端部が保護され、スペア配管端部の損傷を防ぐことができる。
【００１５】
本発明の請求項３に記載の無勾配排水システムは、前記無勾配配管がサイフォン排水管であり、サイフォン力を作用させて前記無勾配部の排水を促進すること、を特徴とする。
【００１６】
また、本発明の請求項４に記載の無勾配排水システムは、複数の水回り器具からの排水を一時貯留する貯留槽を備え、前記サイフォン排水管及びスペア排水管は、前記貯留槽の下流側に配置されていること、を特徴とする。
【００１７】
また、本発明の請求項５に記載の無勾配排水システムは、前記貯留槽内部で前記排水を貯留する貯留空間が仕切部材によって複数の個別貯留部に区画され、前記複数の個別貯留部毎に対応する前記水回り器具からの排水管及び前記サイフォン排水管が接続されていること、を特徴とする。
【００１８】
このようなスペア配管は、サイフォン排水システムに好適に用いることができ、特に、貯留槽を備えたサイフォン排水システムに好適に用いることができる。
【００１９】
本発明の請求項６に記載の配管メンテナンス方法は、請求項１〜請求項５のいずれか１項に記載の無勾配排水システムで用いられる配管メンテナンス方法であって、前記スペア管を前記無勾配排水管に代えて前記排水路と接続させること、を特徴とする。
【００２０】
本発明の配管メンテナンス方法によれば、無勾配排水管に沿って配置されているスペア配管を無勾配排水管に代えて前記排水路と接続させるので、容易に配管を交換することができる。
【００２１】
本発明の請求項７に記載の配管メンテナンス方法は、複数の異なる水回り器具に対応する前記無勾配排水管を、前記スペア排水管を含んで相互交換すること、を特徴とする。
【００２２】
水回り器具からの排水量や使用頻度等により、無勾配排水管の汚れにはバラツキが生じることがある。例えば、サイフォン排水管においては、溜流しの少ない洗面などに接続された配管は、サイフォン力による排水の行われる頻度は低いため、自浄作用による管の内壁の洗浄が行われていないことが考えられる。そこで、このように、各無勾配排水管をスペア配管を含んで相互交換することにより、各無勾配排水管を均等に洗浄することができる。
【００２３】
本発明の請求項８に記載の配管メンテナンス方法は、前記交換により前記排水路と非接続となった無勾配排水管の開口を、閉塞蓋で閉塞すること、を特徴とする。
【００２４】
このように、交換後の無勾配排水管開口を閉鎖することにより、臭気を防ぐことができる。
【発明の効果】
【００２５】
本発明は上記のようにスペア配管を設けたので、容易に配管の交換を行うことができる。
【発明を実施するための最良の形態】
【００２６】
以下に、本発明に係る実施形態を図面に基づき説明する。
【００２７】
本実施形態では、無勾配排水システムとして、一時貯留方式のサイフォン排水システムを例に説明する。なお、本発明の無勾配排水システム、配管メンテナンス方法は、他の無勾配排水システムにも適用でき、一時貯留方式以外のサイフォン排水システムにも適用可能である。まず、本実施形態に係るサイフォン排水システムの全体構成を説明する。図１には、本実施形態に係るサイフォン排水システムの全体構成が概略図にて示されている。
【００２８】
本実施形態に係るサイフォン排水システム１０は、サイフォン力を利用して水廻り器具からの排水を効率よく排出する排水システムである。
【００２９】
本実施形態のサイフォン排水システム１０は、主に複数階で構成された集合住宅などに用いられる。なお、本実施形態では、サイフォン排水システムを、複数階で構成された集合住宅に用いた例について説明する。なお、サイフォン排水システムは、集合住宅に好適に用いられるが、集合住宅以外の戸建て住宅や工場等にも用いることができる。
【００３０】
図１に示すように、サイフォン排水システム１０は、排水を下方へ流す排水立て管１２を備えている。この排水立て管１２は、集合住宅の上下方向（縦方向）に延設され、集合住宅の各階の床スラブ１４を貫いている。
【００３１】
集合住宅の各階の各戸には、複数の水回り器具１６が設けられており、この水回り器具１６には、水回り器具１６から排出される排水を流す排水導入管１８の一端がそれぞれ接続されている。排水導入管１８の他端は、貯留槽５０と接続されている。排水導入管１８は、貯留槽５０側が低くなるように勾配をもって配設されている。
【００３２】
貯留槽５０は、水廻り器具１６からの排水を一時貯留するためのものである。貯留槽５０の内部には、図２に示すように、貯留空間５２が構成されている。貯留空間５２は、仕切部材５４によって３つの個別貯留部５２Ａ、５２Ｂ、５２Ｃに区画されている。前述した水廻り器具１６からの複数の排水導入管１８Ａ〜１８Ｃは、個別貯留部５２Ａ、５２Ｂ、５２Ｃ、へ各々連結されている。
【００３３】
貯留槽５０の個別貯留部５２Ａ、５２Ｂ、５２Ｃには、接続部５１Ａ、５１Ｂ、５１Ｃが設けられ、各々にサイフォン排水管２２Ａ、２２Ｂ、２２Ｃ（これらをまとめて「サイフォン排水管２２」という）が接続されている。接続部５１Ａ、５１Ｂ、５１Ｃは、同一の接続形状とされ、サイフォン排水管２２Ａ、２２Ｂ、２２Ｃのいずれでも接続可能とされている。
【００３４】
サイフォン排水管２２は、図１に示すように、床スラブ１４に沿って配設される横引き管２４と、この横引き管２４と連通する竪管２６とを備えて構成されている。横引き管２４は、貯留槽５０と連通され、床スラブ１４上で水平方向に無勾配で配設されている。横引き管２４と連通する竪管２６は、排水立て管１２に沿って、上下方向（鉛直方向）に配設されている。この竪管２６は、合流部継手４０を介して排水立て管１２と連結されている。合流部継手４０は、竪管２６からの排水を排水立て管１２へ合流させる。
【００３５】
横引き管２４及び竪管２６は、合流部継手４０までは他の排水管と途中で合流することなく、連続した排水管で構成され、排水立て管１２へ排水を導くようになっている。また、横引き管２４及び竪管２６は、排水が満流で流れるように管の内径が設定されている。横引き管２４内の排水には、サイフォン水頭Ｈｓのエネルギーにより、排水方向へ向かうサイフォン力が作用される。
【００３６】
図１に示すように、貯留槽５０には、さらに、通気管３０が接続されている。通気管３０は、合流部継手４０を介して排水立て管１２と連結されている。
【００３７】
サイフォン排水システム１０には、スペア配管６２が備えられている。スペア配管６２は、横引き管２４に沿って配置される横引きスペア配管６４、及び、竪管２６に沿って配置される竪スペア配管６６を含んで構成されている。スペア配管６２は、上流端が閉鎖蓋６５で閉鎖され、下流端が合流部継手４０に接続されている。閉鎖蓋６５は、スペア配管６２の上流端の外周面を覆うように取り付けられている。このように、閉鎖蓋６５で蓋をしておくことにより、スペア配管６２内に異物が入り込むことを防止することができる。また、閉鎖蓋６５でスペア配管６２の外周端部が覆われているので、外周端部の保護することができ、損傷などを防止することができる。スペア配管６２は、サイフォン排水管２２と同一の管であり、サイフォン排水管２２に代えて貯留槽５０の接続部５１Ａ〜５１Ｃと接続可能とされている。
【００３８】
上記構成のサイフォン排水システム１０において、サイフォン排水管２２に閉塞、劣化、損傷などにより、交換の必要が生じた場合には、当該サイフォン排水管２２と、スペア配管６２との接続を交換すればよい。例えば、サイフォン排水管２２Ｃとスペア配管６２とを交換する際には、貯留槽５０の上部近傍の床材を取り払い、接続部５１Ｃからサイフォン排水管２２Ｃを取り外す。そして、スペア配管６２の閉鎖蓋６５を外して、接続部５１Ｃへ取り付ける。
【００３９】
なお、予め、貯留槽５０の上部に、開閉可能な点検口を設けておけば、床を取り払う必要がなく、より簡単な作業で交換を行うことができる。
【００４０】
交換後、非接続となったサイフォン排水管２２Ｃの開口は、閉鎖蓋６５で閉鎖する。このように、交換後の排水管の開口を閉鎖することにより、臭気を防ぐことができる。
【００４１】
本実施形態によれば、サイフォン排水管２２を交換する際の作業用開口を小さくすることができ、容易に交換作業を行うことができる。
【００４２】
このようにして、サイフォン排水管２２の交換が可能であるのは、サイフォン排水管２２が、連続した排水管で構成され、合流部継手４０までは他の排水管と合流されていないためである。在来の勾配排水システムでは、通常、排水立て管に至るまでに、複数の排水管が合流されているため、他の排水管との接続部分についても、付け替え作業が必要となり、本実施形態のように、排水管を容易に交換することは難しい。
【００４３】
また、サイフォン排水管２２の交換が可能である他の理由として、無勾配の配管であることがあげられる。在来の勾配排水システムでは、交換後のスペア配管についても所定の勾配が必要となり、配管が難しくなる。
【００４４】
また、メンテナンスの際には、サイフォン排水管２２Ａ〜２２Ｃ、スペア配管６２の接続を取り替えて相互交換する。いわゆるローテーションである。例えば、図３に示すように、サイフォン排水管２２Ａを接続部５１Ｂへ接続し、サイフォン排水管２２Ｂを接続部５１Ｃへ接続し、スペア配管６２を接続部５１Ａへ接続し、サイフォン排水管２２Ｃを不使用管とする。
【００４５】
このとき、サイフォン排水管２２の入れ替えは、浴槽室排水などの溜め流しの多い水回り器具に対応したサイフォン排水管と、洗面台等の排水量の少ない水回り器具に対応したサイフォン排水管とを交換することが好ましい。サイフォン排水システムでは、サイフォン力により排水を行うことにより、管の内壁を清浄化することができるが、排水量の少ない水回り器具に対応したサイフォン排水管では、サイフォン効果による排水が行われにくく、管の内壁の清浄が行われにくい。そこで、管の内壁の清浄化を均等に行うため、メンテナンス時に、排水量の多いサイフォン排水管と排水量の少ないサイフォン排水管とを交換するのである。
【００４６】
なお、本実施形態では、横引きスペア配管６４、及び、竪スペア配管６６を含んで構成されたスペア配管６２としたが、竪スペア配管６６は必ずしも必要ではなく、図４に示すように、横引きスペア配管６４部分のみのスペア配管６１としてもよい。この場合には、スペア配管６１の両端を閉鎖蓋６５で閉鎖しておく。そして、スペア配管６１の上端側を貯留槽５０の接続部５１に接続し、下流端を竪管２６に接続すればよい。
【００４７】
また、本実施形態では、スペア配管を１本設置したが、複数本設置したり、サイフォン排水管２２と同数設置したりしてもよい。
【００４８】
また、本実施形態では、貯留槽５０を備えたサイフォン排水システムについて説明したが、本発明は貯留槽５０を備えず、サイフォン排水管２２が水回り器具１６の排水管に直接接続されるサイフォン排水システムに適用することもできる。
【図面の簡単な説明】
【００４９】
【図１】本実施形態に係るサイフォン排水システムの全体構成を示す概略図である。
【図２】本実施形態に係る貯留槽の内部、及びサイフォン排水管との接続部を示す斜視図である。
【図３】本実施形態に係るサイフォン排水管のローテーションの一例を示す図である。
【図４】本実施形態に係るスペア配管の変形例を示す図である。
【図５】在来排水管を交換する際に取り外す床材部分を示す、部屋の平面図である。
【図６】サイフォン排水管を交換する際に取り外す床材部分を示す、部屋の平面図である。
【符号の説明】
【００５０】
１０  サイフォン排水システム
１４  床スラブ
２２  サイフォン排水管
２４  横引き管
２６  竪管
５０  貯留槽
５１  接続部
５２  貯留空間
５２Ａ  個別貯留部
５２Ｂ  個別貯留部
５２Ｃ  個別貯留部
６１  スペア配管
６２  スペア配管
６４  横引きスペア配管
６５  閉鎖蓋
６６  竪スペア配管
【図１】
2008280731.tif 000003
【図２】
2008280731.tif 000004
【図３】
2008280731.tif 000005
【図４】
2008280731.tif 000006
【図５】
2008280731.tif 000007
【図６】
2008280731.tif 000008